【手続補正書】
【提出日】平成29年2月17日(2017.2.17)
【手続補正１】
【補正対象書類名】特許請求の範囲
【補正対象項目名】全文
【補正方法】変更
【補正の内容】
【特許請求の範囲】
【請求項１】
第１アプリケーションと、前記第１アプリケーションとユーザ識別子の体系が異なる第２アプリケーションとがインストール可能なクライアント端末におけるインセンティブ付与方法であって、
前記クライアント端末が、
前記クライアント端末において前記第１アプリケーションが起動された場合、前記第１アプリケーションにおいてユーザを識別する第１のユーザ識別子をサーバに送信するステップと、
前記クライアント端末において前記第２アプリケーションが起動された場合、前記第２アプリケーションにおいてユーザを識別する第２のユーザ識別子を前記サーバに送信するステップと、
前記クライアント端末において前記第２アプリケーションに係る所定動作が行われた場合、前記第２のユーザ識別子を含むインセンティブ要求を前記サーバに送信するステップと、
前記インセンティブ要求に基づき、前記第２のユーザ識別子に対応する第１のユーザ識別子により識別されるユーザに対する、前記第１アプリケーションにおけるインセンティブの付与を前記サーバから受けるステップと、
を含むことを特徴とするインセンティブ付与方法。
【請求項２】
前記サーバが、前記第１のユーザ識別子と、前記第２のユーザ識別子とを関連付けた識別子対応情報を記憶しており、前記識別子対応情報に基づいて前記サーバから前記インセンティブの付与を受ける、請求項１に記載のインセンティブ付与方法。
【請求項３】
前記クライアント端末は、前記第１アプリケーションにおいて表示される第２アプリ広告がクリックされた場合、前記サーバに、前記第１のユーザ識別子を含む広告クリック通知を送信し、前記第２アプリケーションをインストールする、請求項１又は２に記載のインセンティブ付与方法。
【請求項４】
前記クライアント端末が前記広告クリック通知から所定時間以内に前記インセンティブ要求を前記サーバに送信した場合、前記インセンティブの付与を前記サーバから受ける、請求項３に記載のインセンティブ付与方法。
【請求項５】
第１アプリケーションと、前記第１アプリケーションとユーザ識別子の体系が異なる第２アプリケーションとがインストール可能なクライアント端末であって、
前記第１アプリケーションが起動された場合、前記第１アプリケーションにおいてユーザを識別する第１のユーザ識別子をサーバに送信し、
前記第２アプリケーションが起動された場合、前記第２アプリケーションにおいてユーザを識別する第２のユーザ識別子を前記サーバに送信し、前記第２アプリケーションに係る所定動作が行われた場合、前記第２のユーザ識別子を含むインセンティブ要求を前記サーバに送信し、
前記インセンティブ要求に基づき、前記第２のユーザ識別子に対応する第１のユーザ識別子により識別されるユーザに対する、前記第１アプリケーションにおけるインセンティブの付与を前記サーバから受ける、クライアント端末。
【請求項６】
第１アプリケーションと、前記第１アプリケーションとユーザ識別子の体系が異なる第２アプリケーションとがインストール可能なクライアント端末として機能するコンピュータに、
前記クライアント端末において前記第１アプリケーションが起動された場合、前記第１アプリケーションにおいてユーザを識別する第１のユーザ識別子をサーバに送信するステップと、
前記クライアント端末において前記第２アプリケーションが起動された場合、前記第２アプリケーションにおいてユーザを識別する第２のユーザ識別子を前記サーバに送信するステップと、
前記クライアント端末において前記第２アプリケーションに係る所定動作が行われた場合、前記第２のユーザ識別子を含むインセンティブ要求を前記サーバに送信するステップと、
前記インセンティブ要求に基づき、前記第２のユーザ識別子に対応する第１のユーザ識別子により識別されるユーザに対する、前記第１アプリケーションにおけるインセンティブの付与を前記サーバから受けるステップと、
を実行させる
インセンティブ付与プログラム。
【手続補正２】
【補正対象書類名】明細書
【補正対象項目名】発明の名称
【補正方法】変更
【補正の内容】
【発明の名称】インセンティブ付与方法、クライアント端末、及びインセンティブ付与プログラム
【手続補正３】
【補正対象書類名】明細書
【補正対象項目名】０００５
【補正方法】変更
【補正の内容】
【０００５】
従って、上記のような問題点に鑑みてなされた本発明の目的は、異なるアプリケーション間においてインセンティブ付与をすることができるインセンティブ付与方法、クライアント端末、及びインセンティブ付与プログラムを提供することにある。
【手続補正４】
【補正対象書類名】明細書
【補正対象項目名】０００６
【補正方法】変更
【補正の内容】
【０００６】
上記課題を解決するために本発明に係るインセンティブ付与方法は、
第１アプリケーションと、前記第１アプリケーションとユーザ識別子の体系が異なる第２アプリケーションとがインストール可能なクライアント端末におけるインセンティブ付与方法であって、
前記クライアント端末が、
前記クライアント端末において前記第１アプリケーションが起動された場合、前記第１アプリケーションにおいてユーザを識別する第１のユーザ識別子をサーバに送信するステップと、
前記クライアント端末において前記第２アプリケーションが起動された場合、前記第２アプリケーションにおいてユーザを識別する第２のユーザ識別子を前記サーバに送信するステップと、
前記クライアント端末において前記第２アプリケーションに係る所定動作が行われた場合、前記第２のユーザ識別子を含むインセンティブ要求を前記サーバに送信するステップと、
前記インセンティブ要求に基づき、前記第２のユーザ識別子に対応する第１のユーザ識別子により識別されるユーザに対する、前記第１アプリケーションにおけるインセンティブの付与を前記サーバから受けるステップと、
を含む。
【手続補正５】
【補正対象書類名】明細書
【補正対象項目名】０００７
【補正方法】変更
【補正の内容】
【０００７】
また本発明に係るインセンティブ付与方法は、
前記サーバが、前記第１のユーザ識別子と、前記第２のユーザ識別子とを関連付けた識別子対応情報を記憶しており、前記識別子対応情報に基づいて前記サーバから前記インセンティブの付与を受ける。
【手続補正６】
【補正対象書類名】明細書
【補正対象項目名】０００８
【補正方法】変更
【補正の内容】
【０００８】
また本発明に係るインセンティブ付与方法は、
前記クライアント端末は、前記第１アプリケーションにおいて表示される第２アプリ広告がクリックされた場合、前記サーバに、前記第１のユーザ識別子を含む広告クリック通知を送信し、前記第２アプリケーションをインストールする。
【手続補正７】
【補正対象書類名】明細書
【補正対象項目名】０００９
【補正方法】変更
【補正の内容】
【０００９】
また本発明に係るインセンティブ付与方法は、
前記クライアント端末が前記広告クリック通知から所定時間以内に前記インセンティブ要求を前記サーバに送信した場合、前記インセンティブの付与を前記サーバから受ける。
【手続補正８】
【補正対象書類名】明細書
【補正対象項目名】００１０
【補正方法】変更
【補正の内容】
【００１０】
また本発明に係るクライアント端末は、
第１アプリケーションと、前記第１アプリケーションとユーザ識別子の体系が異なる第２アプリケーションとがインストール可能なクライアント端末であって、
前記第１アプリケーションが起動された場合、前記第１アプリケーションにおいてユーザを識別する第１のユーザ識別子をサーバに送信し、
前記第２アプリケーションが起動された場合、前記第２アプリケーションにおいてユーザを識別する第２のユーザ識別子を前記サーバに送信し、前記第２アプリケーションに係る所定動作が行われた場合、前記第２のユーザ識別子を含むインセンティブ要求を前記サーバに送信し、
前記インセンティブ要求に基づき、前記第２のユーザ識別子に対応する第１のユーザ識別子により識別されるユーザに対する、前記第１アプリケーションにおけるインセンティブの付与を前記サーバから受ける。
【手続補正９】
【補正対象書類名】明細書
【補正対象項目名】００１１
【補正方法】変更
【補正の内容】
【００１１】
また本発明に係るインセンティブ付与プログラムは、
第１アプリケーションと、前記第１アプリケーションとユーザ識別子の体系が異なる第２アプリケーションとがインストール可能なクライアント端末として機能するコンピュータに、
前記クライアント端末において前記第１アプリケーションが起動された場合、前記第１アプリケーションにおいてユーザを識別する第１のユーザ識別子をサーバに送信するステップと、
前記クライアント端末において前記第２アプリケーションが起動された場合、前記第２アプリケーションにおいてユーザを識別する第２のユーザ識別子を前記サーバに送信するステップと、
前記クライアント端末において前記第２アプリケーションに係る所定動作が行われた場合、前記第２のユーザ識別子を含むインセンティブ要求を前記サーバに送信するステップと、
前記インセンティブ要求に基づき、前記第２のユーザ識別子に対応する第１のユーザ識別子により識別されるユーザに対する、前記第１アプリケーションにおけるインセンティブの付与を前記サーバから受けるステップと、
を実行させる。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】変更
【補正の内容】
【００１３】
本発明におけるインセンティブ付与方法、クライアント端末及びインセンティブ付与プログラムによれば、異なるアプリケーション間においてインセンティブ付与をすることができる。